(57)【要約】【課題】著作権法上の「私的使用」の範囲を超える利用により、著作権の侵害を構成することになった。【解決手段】複製装置は、著作物、及び、当該著作物を利用する権利があるか否かを示す利用権利有無情報を記憶する第１の記憶媒体から、前記著作物を第２の記憶媒体に複製し、しかも、当該複製のとき、前記第１の記憶媒体に、当該第１の記憶媒体に記憶された前記著作物を利用する権利が無い旨を示す利用権利有無情報を書き込み、かつ、前記第２の記憶媒体に、当該第２の記憶媒体に記憶された前記著作物を利用する権利がある旨を示す利用権利有無情報を書き込み、再生装置は、前記利用権利有無情報が前記著作物を利用する権利がある旨を示すとき、当該著作物を再生し、前記利用権利有無情報が前記著作物を利用する権利が無い旨を示すとき、当該著作物を再生しない。【選択図】図３
2009093586.tif 000002
【特許請求の範囲】
【請求項１】
著作物、及び、当該著作物を利用する権利があるか否かを示す利用権利有無情報を記憶する第１の記憶媒体から、前記著作物を第２の記憶媒体に複製する複製部であって、当該複製のとき、前記第１の記憶媒体に、当該第１の記憶媒体に記憶された前記著作物を利用する権利が無い旨を示す利用権利有無情報を書き込み、かつ、前記第２の記憶媒体に、当該第２の記憶媒体に記憶された前記著作物を利用する権利がある旨を示す利用権利有無情報を書き込む前記複製部を含むことを特徴とする複製装置。
【請求項２】
著作物、及び、当該著作物を利用する権利があるか否かを示す利用権利有無情報を記憶する記憶媒体における前記著作物を再生する再生部であって、前記利用権利有無情報が前記著作物を利用する権利がある旨を示すとき、当該著作物を再生し、前記利用権利有無情報が前記著作物を利用する権利が無い旨を示すとき、当該著作物を再生しない前記再生部を含むことを特徴とする再生装置。
【発明の詳細な説明】
【技術分野】
【０００１】
本発明は、ＣＤ及びＤＶＤのような記録媒体に記憶されている著作物である音楽及び映画等を複製することができる、パーソナルコンピュータのような複製装置、及び、前記音楽及び映画等を再生する、ＣＤプレーヤー及びＤＶＤプレーヤーのような再生装置に関する。
【背景技術】
【０００２】
例えば、前記音楽については、パーソナルコンピュータ及びＣＤプレーヤーの所有者であるユーザは、当該ユーザが店頭で購入したＣＤ等の記憶媒体に記憶されている音楽を前記ＣＤプレーヤーで再生することに加えて、前記音楽を前記パーソナルコンピュータを用いて他のＣＤに複製し、当該音楽が記憶されている当該他のＣＤを友人に聞かせるために当該友人に譲り渡すことがある。
【発明の開示】
【発明が解決しようとする課題】
【０００３】
しかしながら、上記したユーザの複製行為は、「私的使用」（著作権法第３０条第１項）の範囲を超えることから、著作権の侵害を構成することになるという問題があった。
【課題を解決するための手段】
【０００４】
本発明は、上記した課題を解決すべく、以下の適用例により実現される。
【０００５】
［適用例１］
適用例１の複製装置は、
著作物、及び、当該著作物を利用する権利があるか否かを示す利用権利有無情報を記憶する第１の記憶媒体から、前記著作物を第２の記憶媒体に複製する複製部であって、当該複製のとき、前記第１の記憶媒体に、当該第１の記憶媒体に記憶された前記著作物を利用する権利が無い旨を示す利用権利有無情報を書き込み、かつ、前記第２の記憶媒体に、当該第２の記憶媒体に記憶された前記著作物を利用する権利がある旨を示す利用権利有無情報を書き込む前記複製部を含む。
【０００６】
［適用例２］
適用例２の再生装置は、
著作物、及び、当該著作物を利用する権利があるか否かを示す利用権利有無情報を記憶する記憶媒体における前記著作物を再生する再生部であって、前記利用権利有無情報が前記著作物を利用する権利がある旨を示すとき、当該著作物を再生し、前記利用権利有無情報が前記著作物を利用する権利が無い旨を示すとき、当該著作物を再生しない前記再生部を含む。
【０００７】
適用例１の複製装置によれば、前記複製部が、前記複製のとき、前記第１の記憶媒体に、当該第１の記憶媒体に記憶された前記著作物を利用する権利が無い旨を示す利用権利有無情報を書き込み、かつ、前記第２の記憶媒体に、当該第２の記憶媒体に記憶された前記著作物を利用する権利がある旨を示す利用権利有無情報を書き込み、他方で、適用例２の再生装置によれば、前記利用権利有無情報が前記著作物を利用する権利がある旨を示すとき、当該著作物を再生し、前記利用権利有無情報が前記著作物を利用する権利が無い旨を示すとき、当該著作物を再生しない。これにより、利用する権利が付与されていない音楽を再生することを禁止することから、従来のような著作権の侵害を防止することが可能となる。
【発明を実施するための最良の形態】
【０００８】
本発明の実施例に係る複製装置及び再生装置について図面を参照して説明する。
【０００９】
《構成》
図１は、実施例の複製装置の構成を示し、また、図２は、実施例の再生装置の構成を示し、図３は、実施例の複製前及び複製後における複製元の記憶媒体の構成を示し、図４は、実施例の複製前及び複製後における複製先の記憶媒体の構成を示す。説明及び理解を容易にすべく、実施例の複製装置Ｃ及び再生装置Ｒの説明に先立ち、実施例の記憶媒体Ｍ１、Ｍ２について説明する。ここで、記憶媒体Ｍ１は、複製元であり、記憶媒体Ｍ２は、複製先である。
【００１０】
〈記憶媒体〉
複製元である記憶媒体Ｍ１は、図３（Ａ）、（Ｂ）に示されるように、フラッシュメモリ３０と、ＦｅＲＡＭ（不揮発性メモリ）４０とを含む。
【００１１】
フラッシュメモリ３０は、図３（Ａ）、（Ｂ）に示されるように、著作物である音楽ＭＵ、及び、当該音楽ＭＵの著作権に関する情報（例えば、著作権者の氏名、著作権の存続期間）である著作権情報ＣＲを記憶している。
【００１２】
ＦｅＲＡＭ４０は、図３（Ａ）、（Ｂ）に示されるように、記憶媒体Ｍ１の所有者が、フラッシュメモリ３０に記憶されている音楽ＭＵを再生（利用）する権利を有するか否かを示す情報である利用権利有無情報ＵＲを記憶している。利用権利有無情報ＵＲは、記憶媒体Ｍ１に記憶されている音楽ＭＵを利用する権利を当該記憶媒体Ｍ１の所有者が有するときには「有り」を示し、有しないときには「無し」を示す。当該「有り」から「無し」への書き換え、及び、「無し」から「有り」への書き換えは、複製装置Ｃにより行われる。また、再生装置Ｒは、記憶媒体Ｍ１に記憶されている利用権利有無情報ＵＲが「有り」を示すときには、当該記憶媒体Ｍ１に記憶されている音楽ＭＵを再生し、他方で、「無し」を示すときには、当該音楽ＭＵを再生しない。
【００１３】
以下の説明では、記憶媒体Ｍ１は、例えば、店頭等で購入されたものであり、ＦｅＲＡＭ４０中の利用権利有無情報ＵＲは、当初、「有り」を示すことを想定する。
【００１４】
複製先である記憶媒体Ｍ２は、図４（Ａ）に示されるように、記憶媒体Ｍ１と同様に、フラッシュメモリ３０と、ＦｅＲＡＭ４０とを含む。しかし、記憶媒体Ｍ２では、図４（Ａ）に示されるように、当初、フラッシュメモリ３０は、音楽ＭＵも著作権情報ＣＲも何ら記憶しておらず、また、ＦｅＲＡＭ４０は、利用権利有無情報ＵＲも記憶していない。
【００１５】
〈複製装置〉
実施例の複製装置Ｃは、記憶媒体Ｍ１（図３（Ａ）に図示。）に記憶されている音楽ＭＵを記憶媒体Ｍ２（図４（Ａ）に図示。）に複製すべく、図１に示されるように、操作部１０と、表示部１１と、処理部１２と、記憶部１３と、複製部１４とを含む。
【００１６】
操作部１０は、例えば、ボタン、キーボード、マウスであり、前記音楽ＭＵを複製するための命令（例えば、複製命令）を入力するために用いられる。
【００１７】
表示部１１は、例えば、液晶パネル及びＣＲＴであり、操作部１０により入力された命令及び処理部１２により行われた処理の結果を表示する。
【００１８】
処理部１２は、例えば、ＣＰＵ及びプログラム、並びに、論理回路からなり、複製装置Ｃ全体の動作を制御し及び監視をする。
【００１９】
記憶部１３は、例えば、ハードディスク及びＲＡＭであり、処理部１２及び複製部１４が処理及び複製に必要な作業を行うために用いられる。
【００２０】
複製部１４は、処理部１２と同様に、例えば、ＣＰＵ及びプログラム、並びに、論理回路からなり、前記音楽ＭＵの複製を行う。より具体的には、複製部１４は、例えば、記憶媒体Ｍ１に記憶されている音楽ＭＵ及び著作権情報ＣＲを記憶媒体Ｍ２に複製すると、記憶媒体Ｍ１中の利用権利有無情報ＵＲを「有り」から「無し」へ書き換え（図３（Ｂ）に図示。）、かつ、記憶媒体Ｍ２中の利用権利有無情報ＵＲを「有り」に設定する（図４（Ｂ）に図示。）。
【００２１】
〈再生装置〉
実施例の再生装置Ｒは、記憶媒体Ｍ１に記憶されている音楽ＭＵ、又は、記憶媒体Ｍ２に記憶されている音楽ＭＵを再生すべく、より正確には、利用権利有無情報ＵＲが「有り」を示す音楽ＭＵを再生すべく、図２に示されるように、操作部２０と、表示部２１と、処理部２２と、記憶部２３と、再生部２４とを含む。
【００２２】
操作部２０は、例えば、ボタン、キーボード、マウスであり、前記音楽ＭＵを再生するための命令（例えば、再生命令）を入力するために用いられる。
【００２３】
表示部２１は、例えば、液晶パネル及びＣＲＴであり、操作部２０により入力された命令及び処理部２２により行われた処理の結果を表示する。
【００２４】
処理部２２は、例えば、ＣＰＵ及びプログラム、並びに、論理回路からなり、再生装置Ｒ全体の動作を制御し及び監視をする。
【００２５】
記憶部２３は、例えば、ハードディスク及びＲＡＭであり、処理部２２及び再生部２４が処理及び再生に必要な作業を行うために用いられる。
【００２６】
再生部２４は、処理部２２と同様に、例えば、ＣＰＵ及びプログラム、並びに、論理回路からなり、前記音楽ＭＵの再生を行う。より具体的には、再生部２４は、例えば、記憶媒体Ｍ１中の利用権利有無情報ＵＲが「有り」を示すときには、当該記憶媒体Ｍ１に記憶されている音楽ＭＵを再生し、他方で、「無し」を示すときには、当該音楽ＭＵを再生しない。同様に、記憶媒体Ｍ２中の利用権利有無情報ＵＲが「有り」を示すときには、当該記憶媒体Ｍ２に記憶されている音楽ＭＵを再生し、他方で、「無し」を示すときには、当該音楽ＭＵを再生しない。
【００２７】
《動作》
図５は、実施例の複製装置及び再生装置の動作を示すフローチャートである。以下、実施例の複製装置Ｃ及び再生装置Ｒの動作を図５のフローチャートに沿って説明する。説明では、上記したと同様に、記憶媒体Ｍ１から記憶媒体Ｍ２に音楽ＭＵを複製する前では、図３（Ａ）に示されるように、記憶媒体Ｍ１中の利用権利有無情報ＵＲは、「有り」を示すことを想定する。
【００２８】
ステップＳ１０：複製装置Ｃ及び再生装置Ｒの所有者であるユーザは、複製装置Ｃを用いて、記憶媒体Ｍ１中のフラッシュメモリ３０に記憶されている音楽ＭＵを、記憶媒体Ｍ２に複製する。正確には、複製装置Ｃは、音楽ＭＵ及び著作権情報ＣＲを記憶媒体Ｍ１から記憶媒体Ｍ２に複製する。
【００２９】
ステップＳ１１：複製装置Ｃは、図３（Ａ）、（Ｂ）に示されるように、前記複製のとき、記憶媒体Ｍ１中の利用権利有無情報ＵＲを「有り」から「無し」に書き換え、他方で、図４（Ａ）、（Ｂ）に示されるように、記憶媒体Ｍ２中の利用権利有無情報ＵＲを「有り」に設定する。
【００３０】
ステップＳ１２：前記ユーザが、記憶媒体Ｍ１に記憶され続けている音楽ＭＵを再生しようとすると、当該ユーザが所有する再生装置Ｒは、図３（Ｂ）に示されるように、記憶媒体Ｍ１中の利用権利有無情報が「無し」を示すことから、当該記憶媒体Ｍ１に記憶されている音楽ＭＵを再生しない。
【００３１】
ステップＳ１３：前記ユーザから前記記憶媒体Ｍ２を譲り受けた譲受者（例えば、友人）が、記憶媒体Ｍ２に複製された音楽ＭＵを再生しようとすると、前記譲受者が所有する再生装置Ｒは、図４（Ｂ）に示されるように、記憶媒体Ｍ２中の利用権利有無情報が「有り」を示すことから、当該記憶媒体Ｍ２に記憶されている音楽ＭＵを再生する。
【００３２】
《効果》
上述したように、実施例の複製装置Ｃ及び再生装置Ｒでは、記憶媒体Ｍ１から記憶媒体Ｍ２へ前記音楽ＭＵを複製するとき、複製部１４が、記憶媒体Ｍ１の利用権利有無情報ＵＲを「有り」から「無し」へ書き込みし、かつ、記憶媒体Ｍ２の利用権利有無情報ＵＲを「有り」に設定し、かつ、ユーザが所有する複製装置Ｃ内の再生部２４が、「無し」である記憶媒体Ｍ１の利用権利有無情報ＵＲに基づき、記憶媒体Ｍ１中の音楽ＭＵを再生せず、他方で、「有り」である記憶媒体Ｍ２の利用権利有無情報ＵＲに基づき、記憶媒体Ｍ２中の音楽ＭＵを再生する。これにより、利用する権利が付与されていない音楽ＭＵを再生することから、従来のような音楽ＭＵの複製権が侵害される事態を防止することが可能となる。
【図面の簡単な説明】
【００３３】
【図１】実施例の複製装置の構成を示す図。
【図２】実施例の再生装置の構成を示す図。
【図３】実施例の複製元の記憶媒体の構成を示す図。
【図４】実施例の複製先の記憶媒体の構成を示す図。
【図５】実施例の複製装置及び再生装置の動作を示すフローチャート。
【符号の説明】
【００３４】
Ｃ…複製装置、１０…操作部、１１…表示部、１２…処理部、１３…記憶部、１４…複製部、Ｒ…再生装置、２０…操作部、２１…表示部、２２…処理部、２３…記憶部、２４…再生部、Ｍ１、Ｍ２…記憶媒体、ＭＵ…音楽、ＵＲ…利用権利有無情報。
【図１】
2009093586.tif 000003
【図２】
2009093586.tif 000004
【図３】
2009093586.tif 000005
【図４】
2009093586.tif 000006
【図５】
2009093586.tif 000007